(57)【特許請求の範囲】
【請求項１】
建物外壁の立上げ下地板に取り付けたのし水切材によって、瓦屋根の壁際端部を覆うようにした水切構造において、前記立上げ下地板に瓦屋根側へ張り出すジョイナー材を取り付けるとともに、このジョイナー材の先端部に前記のし水切材の先端部を引っ掛けた状態で、そののし水切材の基端部を前記立上げ下地板にビス又はボルト等の固定具によって固定したことを特徴とする瓦屋根の壁際水切構造。
【請求項２】
前記のし水切材における先端部と基端部との間の本体部を、前記ジョイナー材の上面に載置するようにした請求項１記載の瓦屋根の壁際水切構造。
【請求項３】
前記ジョイナー材に、前記のし水切材の基端部を受ける受片を形成した請求項１又は２記載の瓦屋根の壁際水切構造。
【請求項４】
前記ジョイナー材の基端部から垂下した係止片を、前記立上げ下地板に取り付けたレール材に係合した状態で、前記ジョイナー材の基端部を前記立上げ下地板に固定した請求項１乃至３のいずれかに記載の瓦屋根の壁際水切構造。
【発明の詳細な説明】
【０００１】
【発明の属する技術分野】
本発明は、建物外壁から張り出した瓦屋根の壁際端部における水切構造に関する。
【０００２】
【従来の技術】
従来より、建物外壁から外方へ張り出すようにして設けたのし水切によって、瓦屋根の壁際端部を覆うようにした水切構造が知られている。一般に、この種ののし水切材は、その基端部を建物外壁に配された立上げ下地板にビス止めすることによって、取り付けられている。
【０００３】
【発明が解決しようとする課題】
しかしながら、従来におけるのし水切材は、その基端部を立上げ下地板に固定しただけのいわゆる片持ち支持の状態となっており、このため特に先端部が強度的に弱くなり、変形等が生じ易いといった不具合があった。また、のし水切材の取付作業は、その基端部を立上げ下地板の所定位置に当接させた状態でビス止めするだけであるため、その取付位置に誤差が生じ易いといった不具合もあった。
【０００４】
本発明は、上記の不具合を解消して、のし水切材の取付強度及び取付精度を向上した信頼性の高い瓦屋根の壁際水切構造の提供を目的とする。
【０００５】
【課題を解決するための手段】
上記課題を解決するため、本発明は、建物外壁の立上げ下地板に取り付けたのし水切材によって、瓦屋根の壁際端部を覆うようにした水切構造において、前記立上げ下地板に瓦屋根側へ張り出すジョイナー材を取り付けるとともに、このジョイナー材の先端部に前記のし水切材の先端部を引っ掛けた状態で、そののし水切材の基端部を前記立上げ下地板にビス又はボルト等の固定具によって固定したことを特徴とする。
【０００６】
また、前記のし水切材における先端部と基端部との間の本体部を、前記ジョイナー材の上面に載置するようにしている。さらに、前記ジョイナー材に、前記のし水切材の基端部を受ける受片を形成している。さらにまた、前記ジョイナー材の基端部から垂下した係止片を、前記立上げ下地板に取り付けたレール材に係合した状態で、前記ジョイナー材の基端部を前記立上げ下地板に固定している。
【０００７】
【発明の実施の形態】
以下、本発明の一実施形態を図面に基づいて詳細に説明する。図１は本発明の一実施形態に係る瓦屋根の壁際水切構造の縦断面図、図２は同じくその要部の拡大縦断面図、図３は同じくその分解斜視図、図４は瓦屋根を上方から見た斜視図である。
【０００８】
図において、（１）は、建物外壁の外壁材であって、溝形鋼を方形枠状に連結した軸組（２）に固定されている。この外壁材（１）の下側には、外壁材（１）よりも薄肉の立上げ下地板（３）が軸組（２）に固定されている。
【０００９】
（４）は、建物外壁から外方に張り出した瓦屋根であって、その壁際端部が立上げ下地板（３）に対向している。（５）は、瓦屋根（４）の野地板、（６）は、その野地板（４）上に桟木（７）を介して設置される瓦を示している。（８）は、防水シートとしてのアスファルトルーフィングであり、立上げ下地板（３）の外側面から野地板（５）の上面を覆うようにして敷設されている。
【００１０】
（１０）は、アスファルトルーフィング（８）の外側から立上げ下地板（３）の外側面にビス（１１）止めされた面戸押さえ材であって、この面戸押さえ材（１０）の下端が、瓦（６）の上面へ向けて突出し、その下面と瓦（６）との間には、瓦（６）の上面に跨って左右方向すなわち壁面方向に沿って配された面戸材（１２）が設けられている。
【００１１】
（１３）は、面戸押さえ材（１０）の外側から立上げ下地板（３）の外側面にビス（１１）止めされたレール材である。そして、このレール材（１３）の下端が、外側へコ字型に折返しされて係合溝（１４）を形成している。
【００１２】
（１５）は、ジョイナー材であって、Ｌ字型の基端部（１６）と、この基端部（１６）から瓦屋根（４）側へ傾斜して張り出す傾斜部（１７）とが一体に連結されてなる。そして、基端部（１６）の垂直部分の上端が、外側へ水平に折返しされて受片（１８）とされ、また基端部（１６）の水平部分の下面には、内側へ折れ曲がったＬ型片（１９）が突設され、そのＬ型片（１９）の端部が下方に折り返しされて係止片（２０）とされている。このジョイナー材（１５）は、基端部（１６）から垂下した係止片（２０）をレール材（１３）の係合溝（１４）に係合した状態で、基端部（１６）の垂直部分をレール材（１３）の外側から立上げ下地板（３）の外側面にビス（１１）止めすることによって取り付けられている。なお、ジョイナー材（１５）は、左右方向に適宜間隔をあけて複数配置されている。
【００１３】
（３０）は、ジョイナー材（１５）間に跨って左右方向に沿って配置されたのし水切材であって、こののし水切材（３０）は、略Ｚ字型の基端部（３１）と、この基端部（３１）から瓦屋根（４）側へ傾斜して張り出す本体部（３２）と、この本体部（３２）の先端を内側へコ字型に折返してなる先端部（３３）とが一体に連結されてなる。
【００１４】
そして、こののし水切材（３０）は、先端部（３３）をジョイナー材（１５）の傾斜部（１７）先端に引っ掛けた状態で、本体部（３２）をジョイナー材（１５）の傾斜部（１７）上面に、さらに基端部（３１）の水平部分をジョイナー材（１５）の受片（１８）上面に載置し、この状態で、基端部（３１）の垂直部分をジョイナー材（１５）の外側から立上げ下地板（３）の外側面にビス（１１）止めすることによって、瓦屋根（４）の壁際端部を覆うようにして取り付けられている。
【００１５】
なお、外壁材（１）の下端面とのし水切材（３０）における基端部（３１）の水平部分との間には、充填材（３４）が充填されている。また、レール材（１３）、ジョイナー材（１５）及びのし水切材（３０）は、アルミニウムの押出成形によって形成されている。
【００１６】
【発明の効果】
以上の説明から明らかなように、本発明によると、のし水切材の先端部をジョイナー材の先端部に引っ掛けた状態で、のし水切材の基端部を立上げ下地板に固定するようにしているので、従来のように片持ち支持するときと比べて、のし水切材の取付強度が向上し、特に先端部の強度アップを図ることができる。
【００１７】
しかも、のし水切材の本体部をジョイナー材の上面に載置したり、のし水切材の基端部をジョイナー材の受片に載置すれば、のし水切材のほぼ全体をジョイナー材によって支持させることができ、のし水切材の取付強度をより一層向上させることができる。その上、のし水切材を立上げ下地板にビス等によって固定する際に、のし水切材をジョイナー材を利用して位置決めすることができ、これによってのし水切材の取付精度も向上させることができて、信頼性の高い水切構造を提供することができる。
【００１８】
さらに、ジョイナー材の基端部から垂下した係止片を、立上げ下地板に取り付けたレール材に係合すれば、ジョイナー材の取付強度も向上させることができ、強度的により安定した水切構造を得ることができる。
【図面の簡単な説明】
【図１】本発明の一実施形態に係る瓦屋根の壁際水切構造の縦断面図である。
【図２】同じくその要部の拡大縦断面図である。
【図３】同じくその分解斜視図である。
【図４】瓦屋根を上方から見た斜視図である。
【符号の説明】
（３）  立上げ下地板
（４）  瓦屋根
（１１）  ビス
（１３）  レール材
（１５）  ジョイナー材
（１６）  ジョイナー材の基端部
（１８）  受片
（２０）  係止片
（３０）  のし水切材
（３１）  のし水切材の基端部
（３２）  のし水切材の本体部
（３３）  のし水切材の先端部
【図１】
0003587503.tif 000002
【図２】
0003587503.tif 000003
【図３】
0003587503.tif 000004
【図４】
0003587503.tif 000005